(57)【要約】【課題】遠隔からの電力の供給停止／停止解除を任意の電力需要者に対して可能とする送電遠隔制御装置及び送電遠隔制御システムを提供することを課題とする。【解決手段】電力量計部１に取り付けられ、遠隔からの指令により電力の供給停止／停止解除を行う送電遠隔制御装置５であって、遠隔からの制御信号を受信する通信手段１２と、電力量計部１内の送電系（無停電バイパス端子）４に取り外し自在に接続され、電力需要側に電力を供給するための送電路を遮断／接続する遮断手段（リレー）１８，１９と、制御信号に基づいて遮断手段１８，１９を制御する制御手段（ＣＰＵ）２８とを備え、制御手段２８は、制御信号が電力供給停止指令の場合には遮断手段１８，１９により送電路を遮断し、制御信号が電力停止解除指令の場合には遮断手段１８，１９により送電路を接続することことを特徴とする。【選択図】  図２
2004229400.tif 000002
【特許請求の範囲】
【請求項１】
電力供給側から電力需要側に供給される電力を計測する電力量計に取り付けられ、遠隔からの指令により電力の供給停止／停止解除を行う送電遠隔制御装置であって、遠隔からの制御信号を受信する通信手段と、電力量計部の送電系に取り外し自在に接続され、前記電力需要側に電力を供給するための送電路を遮断／接続する遮断手段と、前記制御信号に基づいて前記遮断手段を制御する制御手段とを備え、前記制御手段は、前記制御信号が電力供給停止指令の場合には前記遮断手段により前記送電路を遮断し、前記制御信号が電力停止解除指令の場合には前記遮断手段により前記送電路を接続することを特徴とする送電遠隔制御装置。
【請求項２】
前記通信手段は、遠隔に情報信号を送信可能であり、前記制御手段は、前記電力量計において取得した情報を情報信号に設定し、前記通信手段を介して送信することを特徴とする請求項１に記載する送電遠隔制御装置。
【請求項３】
前記電力需要側に供給される電力の状態を検出する電力状態検出手段を備え、前記制御手段は、前記電力状態検出手段で検出した電力状態を情報信号に設定し、前記通信手段を介して送信することを特徴とする請求項２に記載する送電遠隔制御装置。
【請求項４】
前記電力需要側が消費している電流を検出する電流検出手段を備え、前記制御手段は、前記制御信号が電流制限指令の場合、前記電流制限指令の制限電流値と前記電流検出手段で検出した電流値とを比較し、電力供給停止条件を満たすか否かを判定することを特徴とする請求項１〜３のいずれか１項に記載する送電遠隔制御装置。
【請求項５】
前記制御手段は、異常を検出した場合、異常状態を前記情報信号に設定し、前記通信手段を介して送信することを特徴とする請求項２〜４のいずれか１項に記載する送電遠隔制御装置。
【請求項６】
遠隔からの指令により、電力供給側から電力需要側に供給される電力の供給停止／停止解除を行う送電遠隔制御システムであって、電力供給側から電力需要側に供給される電力を計測する電力量計に取り付けられ、遠隔からの指令により電力の供給停止／停止解除を行う送電遠隔制御装置と、前記送電遠隔制御装置により電力の供給停止／停止解除を行うために、前記送電遠隔制御装置に指令する遠隔制御指令装置とを備え、前記送電遠隔制御装置は、請求項１〜５のいずれか１項に記載する送電遠隔制御装置であることを特徴とする送電遠隔制御システム。
【請求項７】
前記遠隔制御指令装置は、携帯端末と信号を送受信する携帯用通信手段を備えることを特徴とする請求項６に記載する送電遠隔制御システム。
【発明の詳細な説明】
【０００１】
【発明の属する技術分野】
本発明は、遠隔からの電力の供給停止／停止解除を行うための送電遠隔制御装置及び送電遠隔制御システムに関する。
【０００２】
【従来の技術】
電力供給事業者（電力会社等）から電力需要者（家庭等）に対して電力を供給する場合、電力需要者から電力の使用料金を徴収するために、各電力需要者に対して電力量計を設置している。電力量計は、電力供給事業者側の送電線に繋がる引き込み用電線が接続するとともに電力需要者側の屋内配線に接続し、電力需要者が消費する電力を計測する。電力供給事業者は、電力量計で計測した消費電力に基づいて電力需要者に対して使用料金を請求し、電力需要者から使用料金を徴収する。その際、電力需要者の経済的な事情等により、使用料金を徴収できない場合がある。この場合、電力供給事業者は、電力需要者に対する電力の供給を停止する場合がある。
【０００３】
電力の供給停止や停止解除を行う場合、電力供給事業者の作業員が、該当する電力需要者の電力量計の設置現場へ出向き、宅内送電の停止作業あるいは復旧作業を行っている。この際、作業員は、電力量計の引き込み電線や電柱上の引き込み電線を切り離したり、あるいは、接続を行っている。また、電力の供給停止／停止解除の作業の効率化を図るために、遠隔遮断装置付きの電力量計が設置されている場合がある。この電力量計は、宅内に電力を供給するための負荷回路を遮断する遮断器を備え、外部機器から送信した信号によりその遮断器を動作させて電力の供給停止／停止解除を行うことができる（特許文献１参照）。このような遠隔遮断装置が備えられていれば、作業員は、外部機器から所定の信号を発信するだけでよいので、専門的な電気工事技術を必要としないし、電力の供給停止／停止解除を短時間で行うことができる。
【０００４】
【特許文献１】
特開平５−２０９８９８号公報
【０００５】
【発明が解決しようとする課題】
しかしながら、遠隔遮断装置付きの電力量計の場合、電力量計内に遮断器や通信手段等が予め組み込まれているため、電力量計自体が高価になる。したがって、作業の効率化を図るために、全ての電力需要者に対してこの電力量計を設置する場合、高コストとなる。しかし、使用料金の滞納者や不払い者は電力需要者の中の一部であり、全ての電力需要者に対して遠隔遮断装置を必要としない。さらに、賃貸住宅の場合、賃貸住宅のある部屋の居住者が使用料金の滞納者や不払い者であっても、その居住者が転居するとその部屋への電力の供給停止／停止解除を行う必要がなくなる。
【０００６】
そこで、本発明は、遠隔からの電力の供給停止／停止解除を任意の電力需要者に対して可能とする送電遠隔制御装置及び送電遠隔制御システムを提供することを課題とする。
【０００７】
【課題を解決するための手段】
本発明に係る送電遠隔制御装置は、電力供給側から電力需要側に供給される電力を計測する電力量計に取り付けられ、遠隔からの指令により電力の供給停止／停止解除を行う送電遠隔制御装置であって、遠隔からの制御信号を受信する通信手段と、電力量計部の送電系に取り外し自在に接続され、電力需要側に電力を供給するための送電路を遮断／接続する遮断手段と、制御信号に基づいて遮断手段を制御する制御手段とを備え、制御手段は、制御信号が電力供給停止指令の場合には遮断手段により送電路を遮断し、制御信号が電力停止解除指令の場合には遮断手段により送電路を接続することを特徴とする。
【０００８】
この送電遠隔制御装置は、送電路を遮断／接続するための遮断手段を備えており、この遮断手段が電力量計部に設けられている送電系に配設され、電力量計に取り付けられる。さらに、送電遠隔制御装置は、通信手段及び制御手段を備えており、通信手段により遠隔からの制御信号を受信し、制御手段により制御信号に応じて遮断手段を動作させる。制御信号として電力供給停止指令を受信した場合、送電遠隔制御装置では、制御手段が遮断手段を動作させて送電路を遮断し、電力需要側への電力の供給を停止する。一方、制御信号として電力停止解除指令を受信した場合、送電遠隔制御装置では、制御手段が遮断手段を動作させて送電路を接続し、電力需要側への電力の供給停止を解除する。この送電遠隔制御装置は、遮断手段が送電系に対して取り外し自在に接続することができるので、任意の電力量計に対して取り付けたりあるいは取り外したりすることができる。したがって、任意の電力需要者の電力量計に送電遠隔制御装置を取り付け、制御信号を送信することによって、任意の電力需要者に対する電力の供給停止／停止解除を遠隔から行うことができる。そのため、送電遠隔制御装置を電力量計に予め組み込んでおく必要がなく、送電遠隔制御装置を必要な台数だけ用意すればよい。
【０００９】
なお、電力供給側とは、送電線や引き込み線等の電力を供給するための設備側である。電力需要側とは、家庭内、社内や店内等の電力を消費する負荷側である。送電系とは、電力量計部における電力供給側から電力需要側に供給される電気が流れる送電機器全体を指す。通信手段による通信は、通信事業者が提供する電話回線や専用回線等の有線でもよいし、あるいは、通信事業者が提供する交換局を介した通信等の無線でもよい。
【００１０】
本発明の上記送電遠隔制御装置は、通信手段が、遠隔に情報信号を送信可能であり、制御手段を、電力量計において取得した情報を情報信号に設定し、通信手段を介して送信する構成としてもよい。
【００１１】
この送電遠隔制御装置では、通信手段により遠隔に情報信号を送信することができる。そして、送電遠隔制御装置では、制御手段により各種遠隔制御を実行した際に電力量計部において取得した情報を情報信号として通信手段を介して送信する。そのため、その情報信号を受信した側では、遠隔から電力需要側に対する電力の供給状況を監視することができる。
【００１２】
なお、電力量計において取得した情報には、例えば、電力需要側に供給されている電力（電流、電圧）の状況、電力需要側への供給電流の制限状況、送電遠隔制御装置における異常情報がある。
【００１３】
本発明の上記送電遠隔制御装置は、電力需要側に供給されている電力の状態を検出する電力状態検出手段を備え、制御手段を、電力状態検出手段で検出した電力状態を情報信号に設定し、通信手段を介して送信する構成としてもよい。
【００１４】
この送電遠隔制御装置では、電力状態検出手段を備えており、電力状態検出手段により電力需要側に供給されている電力の状態を検出することができる。そして、送電遠隔制御装置では、制御手段により電力状態検出手段で検出した電力状態を情報信号として外部に送信する。この情報信号を受信した側では、遠隔から電力需要側に供給されている電力の状況を監視することができる。
【００１５】
なお、電力の状態とは、電力需要側に供給されている電力の状況であり、消費されている電流、供給されている電圧、供給されている電力等である。
【００１６】
本発明の上記送電遠隔制御装置では、電力需要側が消費している電流を検出する電流検出手段を備え、制御手段を、制御信号が電流制限指令の場合、電流制限指令の制限電流値と電流検出手段で検出した電流値とを比較し、電力供給停止条件を満たすか否かを判定する構成としてもよい。
【００１７】
この送電遠隔制御装置では、電流検出手段を備えており、電力需要側で消費している電流を検出することができる。制御信号として電流制限指令を受信した場合、送電遠隔制御装置では、電流検出手段で検出した消費電流値と電流制限指令の制限電流値とを比較し、電力供給停止条件を満たしているか否かを判定する。電力供給停止条件を満たした場合、送電遠隔制御装置では、制御手段が遮断手段により送電路を遮断し、電力需要側への電力の供給を停止するか、あるいは、電力供給停止条件を満たした情報を情報信号に設定し、通信手段を介して送信する。そのため、この制御信号を送信した側では、遠隔から電力の供給の制限を行うことができる。
【００１８】
なお、制限電流値とは、使用料金の滞納、不払い、料金不足等の何らかの理由により電力需要側の消費電流（消費電力）を制限するために設定された電流値である。ちなみに、電力の供給を完全に停止すると、寒冷地等において最低限の日常生活を送ることができない場合があり、人道的見地から日常生活を送る上で最低限必要な電力を供給するために、このような制限電流値を設定する場合がある。電力供給停止条件とは、電力需要側で制限電流値を超えて消費している場合に、制限電流値を基準として設定される電力の供給を停止するための条件であり、例えば、制限電流値の数１０％増しの電流を数分間連続して消費したことを条件とする。
【００１９】
本発明の上記送電遠隔制御装置では、制御手段を、異常を検出した場合、異常状態を情報信号に設定し、通信手段を介して送信する構成としてもよい。
【００２０】
この送電遠隔制御装置では、制御手段により装置自体の異常や供給電力の異常等の各種異常を検出できる。そして、送電遠隔制御装置では、制御手段で異常を検出した場合にはその異常状態を情報信号に設定し、情報信号を送信する。この情報信号を受信した側では、遠隔から電力量計部における異常を監視でき、異常があった場合には作業員を派遣し、その異常に対して迅速に対応することができる。
【００２１】
なお、異常には、例えば、送電遠隔制御装置自体の異常、制御信号における各種指令が実行されていない場合、電力供給側から供給される電力の異常、盗電がある。
【００２２】
本発明の上記送電遠隔制御システムは、遠隔からの指令により、電力供給側から電力需要側に供給される電力の供給停止／停止解除を行う送電遠隔制御システムであって、電力供給側から電力需要側に供給される電力を計測する電力量計に取り付けられ、遠隔からの指令により電力の供給停止／停止解除を行う送電遠隔制御装置と、送電遠隔制御装置により電力の供給停止／停止解除を行うために、送電遠隔制御装置に指令する遠隔制御指令装置とを備え、送電遠隔制御装置は、上記のいずれかの送電遠隔制御装置であることを特徴とする。
【００２３】
この送電遠隔制御システムでは、任意の電力量計に取り付けられた上記送電遠隔制御装置と遠隔制御指令装置を備えており、遠隔制御指令装置からの指令により送電遠隔制御装置を動作させる。そのため、送電遠隔制御システムでは、任意の電力需要者の電力量計に送電遠隔制御装置を取り付けることによって、遠隔から任意の電力需要者に対する電力の供給停止／停止解除を行うことができる。
【００２４】
本発明の上記送電遠隔制御システムでは、遠隔制御指令装置を、携帯端末と信号を送受信する携帯用通信手段を備える構成としてもよい。
【００２５】
この送電遠隔制御システムは、遠隔制御指令装置が携帯用通信手段を備えており、携帯端末との信号を送受信することができる。そのため、送電遠隔制御装置が取り付けられた電力量計の設置現場等において、携帯端末により、遠隔制御指令装置を介して送電遠隔制御装置に対して指令を与えたり、あるいは、送電遠隔制御装置からの情報信号に設定された各種情報を取得することができる。
【００２６】
なお、携帯端末には、例えば、携帯電話、ＰＨＳ［Ｐｅｒｓｏｎａｌ  Ｈａｎｄｙｐｈｏｎｅ  Ｓｙｓｔｅｍ］、携帯用コンピュータがある。携帯用通信手段による通信は、有線でも無線でもよい。
【００２７】
【発明の実施の形態】
以下、図面を参照して、本発明に係る送電遠隔制御装置及び送電遠隔制御システムの実施の形態を説明する。
【００２８】
本実施の形態では、家庭等に設置されている単相３線式の電力量計に送電遠隔制御装置を取り付け、この送電遠隔制御装置と電力供給事業者の事業所に設置された遠隔制御指令機器を中核とする遠隔制御指令装置とによって送電遠隔制御システムを構成する。本実施の形態に係る送電遠隔制御装置は、通信事業者が提供するパケット通信交換局及び電話回線網に繋がる交換局を介して遠隔制御指令装置と無線により信号を送受信する。本実施の形態に係る遠隔制御指令装置は、通信事業者が提供する携帯電話交換局及び交換局を介して携帯電話と無線により信号を送受信する。
【００２９】
図１及び図２を参照して、電力量計部１及び電力量計部１内に取り付けられた送電遠隔制御装置５について説明する。図１は、送電遠隔制御装置が取り付けられた電力量計であり、（ａ）がカバーを外した場合の正面図であり、（ｂ）がカバーを外した場合の側面図である。図２は、送電遠隔制御装置の構成図である。
【００３０】
電力量計部１は、電力供給事業者が供給する単相３線式で送られてくる商用交流電源の電力を計測する計器であり、電力需要者（家庭、工場等）毎に設けられる。電力量計部１は、電力供給事業者による送電線に繋がる引き込み用電線と電力需要者の負荷との間に接続され、負荷で消費する電力を計測する。
【００３１】
電力量計部１は、電力量計計器箱ベース２に電力量計本体３が固定され、電力量計計器箱ベース２に電力量計本体３を覆うカバー（図示せず）が取り付けられている。さらに、電力量計部１には、電力量計計器箱ベース２に無停電バイパス端子４が収納される。電力量計本体３には、端子台３ａのソース側の１Ｓ端子、２Ｓ端子、３Ｓ端子に引き込み用電線が接続し、ロード側の１Ｌ端子、３Ｌ端子に無停電バイパス端子４が接続するとともに２Ｌ端子には負荷が直接接続する。また、電力量計部１には、端子台３ａに送電遠隔制御装置５が取り付けられる。電力量計本体３には、端子台３ａの２Ｓ端子，３Ｓ端子に送電遠隔制御装置５が直接接続するとともに、端子台３ａの１Ｌ端子，３Ｌ端子と負荷との間に無停電バイパス端子４を介して送電遠隔制御装置５が接続する。上記したカバーが電力量計計器カバー２に取り付けられると、無停電バイパス端子４及び送電遠隔制御装置５は、カバー及び電力量計計器箱ベース２の中に収納される。ちなみに、送電遠隔制御装置５は、電力量計部１内に格納できる程度に小型化されており、簡単に取り付け及び取り外しが可能である。なお、電力量計部１は送電遠隔制御装置５が取り付けられていない状態で各電力需要者に設置され、電力需要者の電力の使用料金の不払いや滞納等の事情により、必要に応じて送電遠隔制御装置５が取り付けられる。
【００３２】
無停電バイパス端子４は、電力量計本体３の負荷側に接続され、負荷に供給する電力をバイパスして電力の供給停止／停止解除を行うことができる端子である。無停電バイパス端子４の接続では、端子台３ａの１Ｌ端子に接続されていた１Ｌ側引き込み線６ａ及び３Ｌ端子に接続されていた３Ｌ側引き込み線６ｂを各々取り外し、その引き込み線６ａ，６ｂを無停電バイパス端子４の引き込み線固定部４ａ，４ｂに各々接続される。さらに、無停電バイパス端子４からの１Ｌ側リード線４ｃが端子台３ａの１Ｌ端子に接続されるとともに、３Ｌ側リード線４ｄが端子台３ａの３Ｌ端子に接続される。ちなみに、この無停電バイパス端子４に作業員が手作業でジャックを引き抜くことにより、電力の供給を停止させることができる。
【００３３】
送電遠隔制御装置５は、電力量計本体３の負荷側に無停電バイパス端子４を介して接続され、電力事業者の事業所Ｏから指令に応じて電力の供給停止／停止解除等を行うための装置である（図３参照）。送電遠隔制御装置５は、端子台３ａの上に載置され、カバー固定ねじ部（図示せず）にセットされる。そして、送電遠隔制御装置５は、端子台３ａに固定ねじ５ａ，５ａによってねじ締め固定される。送電遠隔制御装置５の接続では、無停電バイパス端子４の１Ｌ側端子４ｅ，４ｆに送電遠隔制御装置５の１Ｌ側負荷接続線５ｂ，５ｂのバナナ端子５ｄ，５ｄが各々差し込まれるとともに、無停電バイパス端子４の３Ｌ側端子４ｇ，４ｈに送電遠隔制御装置５の３Ｌ側負荷接続線５ｃ，５ｃのバナナ端子５ｅ，５ｅが各々差し込まれる。無停電バイパス端子４では、１Ｌ側端子４ｅ，４ｆ間及び３Ｌ側端子間４ｇ，４ｈ間が接続されると負荷側への電力の供給を可能とし、１Ｌ側端子４ｅ，４ｆ間及び３Ｌ側端子間４ｇ，４ｈ間が遮断されると負荷側への電力の供給を停止する。さらに、送電遠隔制御装置５を駆動するための電源（ＡＣ１００Ｖ）を確保するために、装置電源供給用プローブ５ｆ、５ｆが端子台３ａの２Ｓ端子及び３Ｓ端子のねじ部３ｂ，３ｂに接続される。
【００３４】
図２を参照して、送電遠隔制御装置５の構成について詳細に説明する。送電遠隔制御装置５は、電力供給事業者の事業所Ｏに配備されている遠隔制御指令機器７との通信が可能であり（図３参照）、遠隔制御指令機器７からの制御信号に応じて各種機能を実行する。送電遠隔制御装置５は、主な機能として電力供給停止／停止解除機能、電流制限機能、負荷状態検出機能、停電対策機能、ＬＥＤ［Ｌｉｇｈｔ  Ｅｍｉｔｔｉｎｇ  Ｄｉｏｄｅ］点灯機能、異常制御状態検出機能を有しており、各機能を実行するために電力量計部１から様々な情報を取得する。また、送電遠隔制御装置５は、電力量計部１において取得した情報を情報信号として遠隔制御指令機器７に送信する。そのために、送電遠隔制御装置５は、保護回路１０、電源回路１１、通信部１２、通信処理回路１３、機種認識回路１４、ＣＰＵ［Ｃｅｎｔｒａｌ  Ｐｒｏｃｅｓｓｉｎｇ  Ｕｎｉｔ］電源保持回路１５、電源電圧監視回路１６、リレー制御回路１７、１Ｌ側リレー１８、３Ｌ側リレー１９、１Ｌ側電流センサ２０、３Ｌ側電流センサ２１、電流電圧変換回路２２、ＡＤコンバータ２３、電圧認識回路２４、ＬＥＤ２５、ＬＥＤ電源スイッチ２６、メモリ回路２７、ＣＰＵ２８を備えている。
【００３５】
なお、本実施の形態では、通信部１２が特許請求の範囲に記載する送電遠隔制御装置の通信手段に相当し、１Ｌ側リレー１８及び３Ｌ側リレー１９が特許請求の範囲に記載する遮断手段に相当し、ＣＰＵ２８が特許請求の範囲に記載する制御手段に相当し、１Ｌ側電流センサ２０、３Ｌ側電流センサ２１、電流電圧変換回路２２、ＡＤコンバータ２３及び電圧認識回路２４が特許請求の範囲に記載する電力状態検出手段に相当し、１Ｌ側電流センサ２０、３Ｌ側電流センサ２１、電流電圧変換回路２２及びＡＤコンバータ２３が電流検出手段に相当する。
【００３６】
保護回路１０は、装置電源供給用プローブ５ｆ、５ｆが接続しており、電力量計本体３から交流の電力を取り入れる。そして、保護回路１０では、その交流の電流値や電圧値が異常な値を示した場合にはその交流の電力の取り入れを停止し、装置を保護する。
【００３７】
電源回路１１では、保護回路１０を介して商用交流電源（ＡＣ１００Ｃ）が供給され、装置内で使用する直流電源に変換する。
【００３８】
通信部１２では、遠隔制御指令機器７から送信された信号を受信するとともに、遠隔制御指令機器７に信号を送信する。通信部１２は、無線用パケット通信機からなり、通信事業者のパケット通信交換局Ｐを介してパケット信号を送受信する（図３参照）。パケット通信交換局Ｐでは、通信事業者の交換局Ｔを介して遠隔制御指令機器７と信号を送受信する（図３参照）。なお、送電遠隔制御装置５には、装置毎に装置番号が付与されている。そして、送電遠隔制御装置５と遠隔制御指令機器７との通信回線を接続する際には、遠隔制御指令機器７では装置番号により送電遠隔制御装置５を特定する。また、送電遠隔制御装置５には、装置毎に電話番号が付与されている。そして、送電遠隔制御装置５と遠隔制御指令機器７との通信回線を接続する際には、遠隔制御指令機器７ではこの電話番号によって送電遠隔制御装置５との通信回線を接続する。
【００３９】
通信処理回路１３では、通信部１２で受信したパケット信号をプロトコル変換し、パケット信号をデジタルデータとしてＣＰＵ２８に出力する。また、通信処理回路１３では、ＣＰＵ２８からのデジタルデータをプロトコル変換し、デジタルデータをパケット信号として通信部１２に出力する。
【００４０】
機種認識回路１４では、電力量計部１の装置種別（単相３線式、単相２線式等）を認識する。
【００４１】
ＣＰＵ電源保持回路１５では、停電時や装置取り外し時等の商用交流電源が供給されなくなった場合に、ＣＰＵ２８を所定時間動作可能とするために、直流電源を所定時間（例えば、数秒間）保持する。
【００４２】
電源電圧監視回路１６は、保護回路１０の出力側に接続され、電力量計部１からの商用交流電源の電圧値を常時監視している。
【００４３】
リレー制御回路１７では、ＣＰＵ２８からのリレー制御信号に応じて、リレー制御信号が「接続」の場合には１Ｌ側リレー１８及び３Ｌ側リレー１９の各接点を接続制御し、リレー制御信号が「開放」の場合には１Ｌ側リレー１８及び３Ｌ側リレー１９の各接点を開放制御する。
【００４４】
１Ｌ側リレー１８は、１Ｌ側負荷接続線５ｂ，５ｂが接続されている。１Ｌ側リレー１８では、リレー制御回路１７によって接点の接続／開放が制御され、接点が接続すると１Ｌ側負荷接続線５ｂ，５ｂ間を接続し、接点が開放すると１Ｌ側負荷接続線５ｂ，５ｂ間を遮断する。
【００４５】
３Ｌ側リレー１９は、３Ｌ側負荷接続線５ｃ，５ｃが接続されている。３Ｌ側リレー１９では、リレー制御回路１７によって接点の接続／開放が制御され、接点が接続すると３Ｌ側負荷接続線５ｃ，５ｃ間を接続し、接点が開放すると３Ｌ側負荷接続線５ｃ，５ｃ間を遮断する。
【００４６】
１Ｌ側電流センサ２０は、１Ｌ側負荷接続線５ｂに設けられ、１Ｌ側の負荷電流を検出する。
【００４７】
３Ｌ側電流センサ２１は、３Ｌ側負荷接続線５ｃに設けられ、３Ｌ側の負荷電流を検出する。
【００４８】
電流電圧変換回路２２では、１Ｌ側電流センサ２０で検出した１Ｌ側負荷電流と３Ｌ側負荷電流センサ２１で検出した３Ｌ側負荷電流との分流比に比例した電流値を検出する。そして、電流電圧変換回路２２では、その検出した電流値に対応する電圧値に変換する。
【００４９】
ＡＤコンバータ２３では、電流電圧変換回路２２で変換したアナログの電圧値をデジタルの電圧値に変換する。ちなみに、ＣＰＵ２８では、このデジタルの電圧値から１Ｌ側負荷電流及び３Ｌ側負荷電流を認識する。
【００５０】
電圧認識回路２４は、１Ｌ側負荷接続線５ｂ及び３Ｌ側負荷接続線５ｃに接続している。そして、電圧認識回路２４では、負荷側に供給されている交流の電圧値を検出し、その供給されている電圧値をデジタル値でＣＰＵ２８に出力する。
【００５１】
ＬＥＤ２５は、電力量計部１の設置時や停電復旧時等の装置起動時において送電遠隔制御装置５が正常に動作しているか否かを確認するためのＬＥＤである。電力量計部１が設置されている場所に出向いた作業員は、電力量計部１の設置時等には、このＬＥＤ２５が点灯するか否かによって送電遠隔制御装置５が正常に動作しているか否かを確認する。ちなみに、図２では、ＬＥＤ２５を１個しか示していないが、実際には、ＡＣ１００Ｖ供給確認用、リレー１８，１９の動作状態確認用、電波状態確認用、通信回線接続確認用等のＬＥＤが備えられている。
【００５２】
ＬＥＤ電源スイッチ２６は、ＣＰＵ２８からのＬＥＤ点灯信号に応じて、ＬＥＤ点灯信号が「点灯」の場合には接点が接続してＬＥＤ２５を点灯させ、ＬＥＤ点灯信号が「消灯」の場合には接点が開放してＬＥＤ２５を消灯させる。ちなみに、図２に示す１個のＬＥＤ電源スイッチ２６により、全てのＬＥＤを一括消灯／点灯させる機能が備えられている。
【００５３】
メモリ回路２７は、ＲＡＭ［Ｒａｎｄｏｍ  Ａｃｃｅｓｓ  Ｍｅｍｏｒｙ］を備えている。メモリ回路２７には、ＣＰＵ２８によって各種情報が記憶される。
【００５４】
ＣＰＵ２８は、送電遠隔制御装置５の処理装置であり、上記した各機能を実現する。ＣＰＵ２８では、遠隔制御指令機器７からの制御信号に示されている制御指令（制御コマンド）を認識し、その制御指令に応じて各種機能を実行する。この際、ＣＰＵ２８では、認識した制御指令をメモリ回路２７に記憶させる。また、ＣＰＵ２８では、各種機能を実行した際に、その制御状態や取得した情報等をメモリ回路２７に記憶させる。さらに、ＣＰＵ２８では、各種機能において取得した情報等を情報信号として設定し、遠隔制御指令機器７に送信する。制御指令としては、リレーの「入り」又は「切り」、電流制限等がある。
【００５５】
電力供給停止／停止解除機能について説明する。ＣＰＵ２８では、制御指令をリレーの「入り」と認識した場合には、リレー制御信号に「接続」を設定し、リレー制御回路１７に出力する。この場合、リレー制御回路１７では１Ｌ側リレー１８及び３Ｌ側リレー１９の各接点を接続し、負荷側への電力の供給が可能となる（すなわち、供給停止を解除する）。また、ＣＰＵ２８では、制御指令をリレーの「切り」と認識した場合には、リレー制御信号に「開放」を設定し、リレー制御回路１７に出力する。この場合、リレー制御回路１７では１Ｌ側リレー１８及び３Ｌ側リレー１９の各接点を開放し、負荷側への電力の供給を停止する。そして、ＣＰＵ２８では、切り換えたリレー１８，１９の状態（制御状態）をメモリ回路２７に記憶させる。
【００５６】
電流制限機能について説明する。ＣＰＵ２８では、制御指令を電流制限と認識した場合、その制御指令に示されている制限電流値を読み取り、その制限電流値をメモリ回路２７に記憶させる。そして、ＣＰＵ２８では、制限電流値と１Ｌ側電流センサ２０で検出した１Ｌ側負荷電流値及び３Ｌ側電流センサ２１で検出した３Ｌ側負荷電流値とを合算し、制限電流値の１２０％の値を１Ｌ側負荷電流値、３Ｌ側負荷電流値が超えるか否かを判定する。制限電流値の１２０％の値を超えた場合、ＣＰＵ２８では、その状態が２分間連続して継続するか否かを判定する。２分間継続した場合、ＣＰＵ２８では、リレー制御信号に「開放」を設定し、リレー制御回路１７に出力する。この場合、リレー制御回路１７では１Ｌ側リレー１８及び３Ｌ側リレー１９の各接点を開放し、負荷側への電力の供給を停止する。また、ＣＰＵ２８では、制限電流超過によりリレー１８，１９の遮断状態（制御状態）をメモリ回路２７に記憶させる。さらに、ＣＰＵ２８では、制限電流超過の異常情報を設定し、この異常情報を情報信号として通信部１２を介して遠隔制御指令機器７に送信する。
【００５７】
負荷状態検出機能及びアンサバック機能について説明する。負荷状態検出機能及びアンサバック機能は、監視モードであり、電力供給停止／停止解除機能又は電流制限機能が終了後に繰り返し実行される。ＣＰＵ２８では、ＡＤコンバータ２３からのデジタルの電圧値に基づいて、１Ｌ側電流センサ２０で検出した１Ｌ側負荷電流値及び３Ｌ側電流センサ２１で検出した３Ｌ側負荷電流値を算出する。また、ＣＰＵ２８では、電圧認識回路２４から負荷側に供給されている電圧値を取り入る。さらに、ＣＰＵ２８では、機種認識回路１４からの装置種別の情報を取り入れる。そして、ＣＰＵ２８では、負荷電流値、供給電圧値、装置種別の各情報及びメモリ回路２７に記憶されている現在の制御状態をアンサバック情報として設定し、このアンサバック情報を情報信号として通信部１２を介して遠隔制御指令機器７に送信する。ちなみに、ＣＰＵ２８では、アンサバック情報を規定回数送信する。また、ＣＰＵ２８では、負荷電流値、供給電圧値、装置種別の各情報をメモリ回路２７に記憶させる。
【００５８】
停電対策機能について説明する。ＣＰＵ２８では、電源電圧監視回路１６で監視している電圧値がＡＣ８５Ｖ以下になった場合、停電あるいは装置取り外しと判定する。この際、ＣＰＵ２８では、ＣＰＵ電源保持回路１５で保持している直流電源によって動作し、その動作している間に遠隔制御指令機器７との通信回線を遮断する。停電判定後、ＣＰＵ２８では、電源電圧監視回路１６で監視している電圧値がＡＣ８５Ｖ以上となった場合、停電復旧あるいは装置取り付けと判定する。ＣＰＵ２８では、停電復旧後に、負荷電流値、供給電圧値、装置種別等の情報を収集するとともに、リレー１８，１９の各接点の接続／開放の情報を収集し、停電復旧後の制御状態を認識する。そして、ＣＰＵ２８では、認識した制御状態とメモリ回路２７に記憶されている停電前の制御状態とを比較し、制御状態が異なっているか否かを判定する。制御状態が異なっている場合、ＣＰＵ２８では、停電復旧後制御状態異常を異常情報として設定し、この異常情報を情報信号として通信部１２を介して遠隔制御指令機器７に送信する。また、ＣＰＵ２８では、この異常情報をメモリ回路２７に記憶させる。
【００５９】
ＬＥＤ点灯機能について説明する。ＣＰＵ２８では、電源電圧監視回路１６で監視している電圧値がＡＣ８５Ｖ以下からＡＣ８５Ｖ以上となった場合、装置取り付けあるいは停電復旧と判定する。この際、ＣＰＵ２８では、ＡＣ１００Ｖの供給状態、リレー１８，１９の各接点の接続／開放の状態、電波状態、通信回線の接続状態等を確認する。そして、ＣＰＵ２８では、各状態に異常がない場合にはＡＣ１００Ｖ供給確認用、リレー１８，１９の動作状態確認用、電波状態確認用、通信回線接続確認用等の各ＬＥＤ２５を点灯させるためにＬＥＤ点灯信号を「点灯」に設定し、各状態に異常がある場合には各ＬＥＤ２５を消灯させるためにＬＥＤ点灯信号を「消灯」に設定し、そのＬＥＤ点灯信号をＬＥＤ電源スイッチ２６に出力する。さらに、ＣＰＵ２８では、装置取り付けあるいは停電復旧と判定後から時間をカウントし、１５分経過したか否かを判定する。１５分経過した場合、ＣＰＵ２８では、ＬＥＤ点灯信号を「消灯」に全て設定し、そのＬＥＤ点灯信号をＬＥＤ電源スイッチ２６に出力する。というのは、このような送電遠隔制御装置５が取り付けられていることを電力需要者に判らないようにするために、ＬＥＤの点灯時間を作業員の確認作業が可能な時間に制限している。
【００６０】
異常制御状態検出機能について説明する。ＣＰＵ２８では、メモリ回路２７に記憶されている制御指令と制御後の現在の制御状態とを比較し、制御指令に応じた制御状態か否か判定する。制御状態に誤りがある場合、ＣＰＵ２８では、制御状態異常を異常情報として設定し、１０秒経過した後に、この異常情報を情報信号として通信部１２を介して遠隔制御指令機器７に送信する。
【００６１】
図３を参照して、遠隔制御指令機器７の構成について説明する。図３は、遠隔制御指令側の構成図である。
【００６２】
遠隔制御指令機器７は、パーソナルコンピュータ（以下、パソコンと記載する）によって構成され、電力供給事業者の事業所Ｏに設けられる。遠隔制御指令機器７は、電力量計部１に取り付けられている送電遠隔制御装置５に対して制御信号を送信し、遠隔から電力の供給停止／停止解除等を制御する。また、遠隔制御指令機器７は、送電遠隔制御装置５から情報信号を受信し、遠隔から供給電力等を監視する。そのために、遠隔制御指令機器７は、パソコンにおいて装置制御用ソフトウエアを実行させることによって遠隔制御指令機器７として動作し、現地確認機能を有する。このパソコンは、音声ボード７ａが備えられており、事業所Ｏ内の交換機Ｏａを介して音声信号を送受信することができる。また、このパソコンは、通信機能及びモデム９を備えており、モデム９を介して各種信号を送受信することができる。
【００６３】
なお、本実施の形態では、遠隔制御指令機器７及びモデム９によって特許請求の範囲に記載する遠隔制御指令装置を構成し、音声ボード７ａが特許請求の範囲に記載する携帯用通信手段に相当する。なお、音声ボード７ａの代わりにＷｅｂサーバを設置し、携帯用通信手段と送受信する方法としてもよい。
【００６４】
遠隔制御指令機器７は、送電遠隔制御装置５と信号を送受信する機能を有している。遠隔制御指令機器７では、デジタルデータをパケット信号にプロトコル変換し、モデム９を介して送電遠隔制御装置５に向けて送信する。この送信されたパケット信号は、事業所Ｏ内の交換機Ｏａから電話回線網を介して通信事業者の交換局Ｔに送信され、さらに、交換局Ｔからパケット通信交換局Ｐを介して送電遠隔制御装置５に送信される。また、遠隔制御指令機器７では、送電遠隔制御装置５から送信されたパケット信号を、パケット通信交換局Ｐ、交換局Ｔ、交換機Ｏａ、モデム９を介して受信する。そして、遠隔制御指令機器７では、このパケット信号をデジタルデータに変換する。なお、本実施の形態では、モデム９を使用したが、ターミナルアダプタが使用される場合もある。
【００６５】
また、遠隔制御指令機器７は、携帯電話８と音声信号を送受信する機能を有している。遠隔制御指令機器７では、音声ボード７ａから音声信号を携帯電話８に向けて送信する。この送信された音声信号は、事業所Ｏ内の交換機Ｏａから電話回線網を介して交換局Ｔに送信され、さらに、交換局Ｔから携帯電話交換局Ｃを介して携帯電話８に送信される。携帯電話８では、その音声信号を音声として出力する。また、遠隔制御指令機器７では、携帯電話８から送信された音声信号を、携帯電話交換局Ｃ、交換局Ｔ、交換機Ｏａ、音声ボード７ａを介して受信する。そして、遠隔制御指令機器７では、この音声信号を音声として出力する。
【００６６】
ちなみに、携帯電話８は、電力量計部１又は送電遠隔制御装置５の点検や設置作業等を行う作業員に携帯される。そして、作業員は、その設置現場から携帯電話８によって、電力量計部１や送電遠隔制御装置５における情報を取得したり、あるいは、送電遠隔制御装置５に対して指令を与える。設置現場にいる作業員が携帯電話８によって遠隔制御する場合、まず、作業員は、送電遠隔制御装置５にＡＣ１００Ｖが供給されていることを確認した後、携帯電話８に事業所Ｏ内の所定の電話番号（遠隔制御指令機器７に付与された電話番号）を入力する。すると、携帯電話８が、携帯電話交換局Ｃ、交換局Ｔを介して交換機Ｏａを経由して遠隔制御指令機器７の音声ボード７ａと接続される。回線接続が完了すると、作業員は、携帯電話８にその設置現場の送電遠隔制御装置５の装置番号を入力する。すると、遠隔制御指令機器７では、その装置番号を認識し、その装置番号に該当する送電遠隔制御装置５との回線を、モデム９、交換機Ｏａ、交換局Ｔ、パケット通信交換局Ｐを介して接続する。この結果、遠隔制御指令機器７を介して携帯電話８と送電遠隔制御装置５との回線が接続され、携帯電話８と送電遠隔制御装置５との通信が可能となる。
【００６７】
遠隔制御指令機器７における現地確認機能について説明する。現地確認機能では、遠隔制御指令機器７を操作するオペレータに対して、パソコンのモニタに様々な画面を出力したり、あるいは、音声を出力したりする。また、現地確認機能では、送電遠隔制御装置５との回線を接続する。そのために、遠隔制御指令機器７には、送電遠隔制御装置５毎の装置番号と電話番号とが記憶されている。そして、オペレータが任意の送電遠隔制御装置５との通信回線を接続するために該当する装置番号を遠隔制御指令機器７に入力した場合、現地確認機能では、入力された装置番号に対する電話番号を検索し、その検索した電話番号に基づいて該当する送電遠隔制御装置５との通信回線を接続する。
【００６８】
さらに、現地確認機能では、オペレータによって入力された制御指令を制御信号として設定し、その制御信号を送電遠隔制御装置５に向けて送信する。制御指令としては、リレーの「入り」又は「切り」、電流制限等がある。オペレータが制御指令を入力する場合、各制御指令に割り当てられた数字が遠隔制御指令機器７に入力される。また、制御指令として電流制限が入力される場合、制限電流値も入力され、制御信号にこの制限電流値も設定される。
【００６９】
なお、遠隔制御指令機器７は、各電力需要者の消費電力、使用料金、使用料金の支払いの有無等を月毎に格納したデータベースを備えている。遠隔制御指令機器７では、オペレータに対してこのデータベースを画面出力する。オペレータは、このデータベースにおける使用料金の支払いの有無を確認し、リレーの「入り」又は「切り」、電流制限を制御指令として設定する。使用料金が滞納されている場合や不払いの場合には制御指令としてリレーの「切り」が設定され、その滞納等が解消された場合には制御指令としてリレーの「入り」が設定される。電力の供給を完全に停止すると、寒冷地で暖房機器が使用できない等の最低限の日常生活を送ることができない場合があり、日常生活を送る上で最低限必要な電力を供給する必要がある場合には、リレーの「切り」に代わって制限電流が制御指令として設定される。
【００７０】
また、現地確認機能では、送電遠隔制御装置５から送られた情報信号をデジタルデータに変換後に、その情報信号に設定されている異常情報やアンサバック情報を画面表示させる機能を有する。アンサバック情報を確認後、現地確認機能では、送電遠隔制御装置５との通信回線を切断する。特に、携帯電話８と通信回線が接続されている場合、現地確認機能では、携帯電話８に対して異常情報やアンサバック情報に相当する音声データを生成し、音声信号として携帯電話８に送信する。アンサバック情報を確認後、現地確認機能では、携帯電話８との回線を切断し、音声ボード７ａでその回線切断を認識すると送電遠隔制御装置５との通信回線を切断する。
【００７１】
ちなみに、オペレータは、異常情報を確認すると、その送電遠隔制御装置５の設置現場に作業員を出向かせ、その異常に対応させる。また、オペレータは、アンサバック情報に示される供給電圧や消費電流等を確認し、遠隔から電力量計部１や送電遠隔制御装置５の動作及び供給電力の状況を認識する。そのため、電力量計部１のある設置現場に作業員を出向かせることなく、電力量計部１における様々な情報を入手でき、遠隔から監視することができる。この監視により、取り付けた装置の異常、送電停止状態における盗電、制御状態の確認等も行うことができる。
【００７２】
なお、遠隔制御指令機器７は、アンサバック情報によって送信される供給電圧や消費電流により、データ−ベースにおける各電力需要者の情報を自動的に更新する機能を有する場合がある。
【００７３】
図１〜図３を参照して、遠隔制御指令機器７から制御信号が送信された場合の送電遠隔制御装置５の動作を図４のフローチャートに沿って説明する。図４は、送電遠隔制御装置の動作を示すフローチャートである。ここでは、遠隔制御指令機器７と送電遠隔制御装置５との通信回線が接続された状態で、事業所Ｏにおいてオペレータが遠隔制御指令機器７に制御指令を入力し、送信ボタンを押したものとする。そして、遠隔制御指令機器７では、その入力に応じて送電遠隔制御装置５に向けて制御信号を送信する。
【００７４】
送電遠隔制御装置５では、制御信号を受信する（Ｓ１）。受信後、送電遠隔制御装置５では、メモリ回路２７に記憶されている現在設定されている制御状態を認識し、リレー１８，１９の現在の「入り」「切り」状態や電流制限状態の有無等を把握する（Ｓ２）。
【００７５】
そして、送電遠隔制御装置５では、受信した制御信号の制御指令が電流制限か否かを判定する（Ｓ３）。
【００７６】
Ｓ３で電流制限ではないと判定した場合、送電遠隔制御装置５では、受信した制御信号の制御指令がリレーの「入り」「切り」か否かを判定する（Ｓ４）。
【００７７】
Ｓ４の制御指令がリレーの「入り」「切り」と判定した場合、送電遠隔制御装置５では、リレー１８，１９の現在の「入り」「切り」状態と制御指令におけるリレーの「入り」「切り」とが反対か否かを判定する（Ｓ５）。Ｓ５で反対ではない（すなわち、リレー１８，１９の状態が制御指令と一致している）と判定した場合、送電遠隔制御装置５では、Ｓ８の処理に移る。
【００７８】
Ｓ５で反対（すなわち、リレー１８，１９の状態が制御指令と異なる）と判定した場合、送電遠隔制御装置５では、その制御指令をメモリ回路２７に記憶し（Ｓ６）、制御指令が「入り」の場合にはリレー制御信号に「接続」を設定し、制御指令が「切り」の場合にはリレー制御信号に「開放」を設定し、リレー制御回路１７に出力する（Ｓ７）。リレー制御信号が「接続」の場合、リレー１８，１９では各接点が接続し、負荷側への電力の供給を開始する。リレー制御信号が「開放」の場合、リレー１８，１９では各接点が開放し、負荷側への電力の供給を停止する。
【００７９】
続いて、送電遠隔制御装置５では、電流センサ２０，２１で負荷電流値を測定し、その負荷電流値を認識する（Ｓ８）。さらに、送電遠隔制御装置５では、負荷電圧値及び装置種別を認識する（Ｓ９），（Ｓ１０）。そして、送電遠隔制御装置５では、制御後の制御状態とメモリ回路２７に記憶している制御指令とが一致しているか否かを判定する（Ｓ１１）。
【００８０】
Ｓ１１で一致していると判定した場合、送電遠隔制御装置５では、状態を監視するモードか否かを判定する（Ｓ１２）。Ｓ１２で監視モードと判定した場合、制御信号を受信したか否かを判定する（Ｓ１３）。送電遠隔制御装置５では、Ｓ１３で制御信号を受信したと判定した場合にはＳ２の処理に戻り、Ｓ１３で制御信号を受信していないと判定した場合にはＳ８の処理に戻って監視モードをループさせる。
【００８１】
Ｓ１２で監視モードでないと判定した場合、送電遠隔制御装置５では、現在の制御状態、負荷電流値、負荷電圧値及び装置種別をアンサバック情報として遠隔制御指令機器７に送信する（Ｓ１４）。そして、送電遠隔制御装置５では、送信フラグを確認し、アンサバック情報を規定回数送信したか否かを判定し（Ｓ１５）、送信していない場合には規定回数の再送処理を行う（Ｓ１６）。送信を完了した場合、送電遠隔制御装置５では、装置が取り外されているか否かを判定する（Ｓ１７）。Ｓ１７で取り外されていると判定した場合、送電遠隔制御装置５では、処理を終了する。Ｓ１７で取り外されていないと判定した場合、送電遠隔制御装置５では、監視モードフラグをオンし（Ｓ１８）、Ｓ１２の処理に戻って監視モードをループさせる。
【００８２】
なお、送電遠隔制御装置５を取り外す場合、装置を端子台３ａから取り外すことにより装置に電源が供給されなくなる。この場合、送電遠隔制御装置５では、電源電圧監視回路１６において電源の供給が無くなったことを認識することにより、装置が取り外されているか否かを確認できる。送電遠隔制御装置５では、電源の供給がないことを認識すると、ＣＰＵ電源保持回路１５で保持している直流電源を利用し、無線使用時はパケット通信による通信回線の遮断処理を実行する。
【００８３】
Ｓ１１で一致していないと判定した場合、送電遠隔制御装置５では、制御状態が異常であることを確認する（Ｓ１９）。
【００８４】
Ｓ３で制御指令が電流制限であると判定した場合、送電遠隔制御装置５では、制限電流値をメモリ回路２７に記憶させ（Ｓ２０）、上記と同様にＳ５〜Ｓ１０までの処理を実行する。そして、送電遠隔制御装置５では、制御指令が電流制限となっているので、Ｓ１１で制御指令が一致していないと判定し、Ｓ１９の処理を実行する。
【００８５】
Ｓ１９の処理後、送電遠隔制御装置５では、メモリ回路２７に記憶されている制御指令が電流制限か否かを判定する（Ｓ２１）。
【００８６】
Ｓ２１で電流制限と判定した場合、送電遠隔制御装置５では、メモリ回路２７から制限電流値を読み出し、Ｓ９で認識した負荷電流値が制限電流値の１２０％を超えるか否かを判定する（Ｓ２２）。Ｓ２２で１２０％を超えないと判定した場合、送電遠隔制御装置５では、Ｓ１２の処理に戻って、監視モードをループさせる。
【００８７】
Ｓ２２で１２０％を超えていると判定した場合、送電遠隔制御装置５では、タイマのカウントを開始する（Ｓ２３）。そして、送電遠隔制御装置５では、１２０％を超えた状態が連続して２分間経過したか否かを判定する（Ｓ２４）。Ｓ２４で２分間経過していないと判定した場合、送電遠隔制御装置５では、Ｓ２２の処理に戻り、２分間経過するまでループする。
【００８８】
Ｓ２４で２分間経過していると判定した場合、送電遠隔制御装置５では、リレー制御信号に「開放」を設定し、リレー制御回路１７に出力する（Ｓ２５）。すると、リレー１８，１９では各接点を開放し、負荷側への電力の供給を停止する。そして、送電遠隔制御装置５では、この制御終了後、電流制限における動作を変更した後の制御状態をメモリ回路２７に記憶させる（Ｓ２６）。さらに、送電遠隔制御装置５では、電流制限値を超えたことを知らせる警報を異常情報として遠隔制御指令機器７に送信し（Ｓ２７）、Ｓ１２の処理に戻って、監視モードをループさせる。
【００８９】
Ｓ２１で電流制限でないと（つまり、制御指令と現在の制限状態が一致していない異常状態と）判定した場合、送電遠隔制御装置５では、１０秒をカウントする（Ｓ２８）。１０秒経過後、送電遠隔制御装置５では、制御が異常であることを知らせる警報を異常情報として遠隔制御指令機器７に送信し（Ｓ２９）、Ｓ１２の処理に戻って、監視モードをループさせる。
【００９０】
この送電遠隔制御システムによれば、各電力需要者の電力量計部１の設置現場まで作業員を出向かせることなく、事業所Ｏにおける遠隔制御指令機器７からの指令によって電力の供給停止／停止解除及び電流制限を行うことができる。この際、オペレータが制御指令を入力するだけなので、専門的な電気工事技術等を必要としないし、昼でも夜でも迅速に電力の供給停止及びその復旧を行うことができる。そのため、電力供給事業者における送電停止／復旧作業を効率的に行うことができ、作業員を削減することができる。
【００９１】
また、この送電遠隔制御システムによれば、事業所Ｏにおける遠隔制御指令機器７において電力量計部１や送電遠隔制御装置５の動作及び供給電力の状況を監視することができるので、設置現場まで作業員を出向かせなければ確認できなかった情報を遠隔から確認することができる。したがって、２４時間体制での監視も可能となり、電力量計部１や送電遠隔制御装置５あるいは供給電力に異常が発生した場合には、迅速に対応することができる。
【００９２】
また、この送電遠隔制御システムによれば、遠隔制御指令機器７を介して携帯電話８によって送電遠隔制御装置５との通信を行うことができるので、事業所Ｏに限らず、どこからでも遠隔制御が可能である。したがって、設置現場の作業員でも、遠隔制御指令機器７と同様の制御指令送信や情報の受信を行うことができる。
【００９３】
さらに、この送電遠隔制御システムによれば、既に設置されている電力量計部１に送電遠隔制御装置５を簡単に取り付けあるいは取り外しを行うことができるので、遠隔制御を行うために、全ての電力量計部１に送電遠隔制御装置５を予め組み付けておく必要がない。そのため、使用料金の未払い等の送電遠隔制御装置５を取り付ける必要のある電力需要者に対してだけ送電遠隔制御装置５を取り付けることができ、賃貸住宅の場合には居住者の転居／転入に応じて送電遠隔制御装置５の取り付け／取り外しを臨機応変に行うことができる。その結果、送電遠隔制御装置５の必要台数を削減でき、遠隔制御による電力の供給停止／停止解除を低コストで実現することができる。
【００９４】
以上、本発明に係る実施の形態について説明したが、本発明は上記実施の形態に限定されることなく様々な形態で実施される。
【００９５】
例えば、本実施の形態では送電遠隔制御装置からの通信及び携帯電話からの通信を無線で行う構成としたが、通信事業者が提供する電話回線や専用回線等の有線で行う構成でもよい。有線の場合には、パケット通信交換局や携帯電話交換局を経由することなく、電話回線や専用線によって通信が行われる。
【００９６】
また、本実施の形態では携帯電話によって遠隔制御指令装置との通信を行う構成としたが、ＰＨＳや携帯用のパソコン等の他の携帯端末でもよい。
【００９７】
また、本実施の形態では単相３線式の給電方式を適用としたが、単相２線式等の他の給電方式に適用してもよい。例えば、単相２線式の場合、送電遠隔制御装置では３Ｌ側に接続されている負荷接続線や３Ｌ側リレー等の３Ｌ側の構成を無くせばよい。
【００９８】
また、本実施の形態では電力量計部に送電遠隔制御装置が格納された構成としたが、電力量計の外部に取り付ける構成でもよい。また、電力量計に送電遠隔制御装置が後から取り付ける構成としたが、電力量計に予め取り付けておいてもよい。
【００９９】
また、本実施の形態では送電遠隔制御装置に様々な機能を有する構成としたが、少なくとも電力供給停止／停止解除機能を有していればよく、その他の機能を有していてもよい。
【０１００】
【発明の効果】
本発明によれば、遠隔からの電力の供給停止／停止解除を任意の電力需要者に対して可能である。
【図面の簡単な説明】
【図１】本実施の形態に係る送電遠隔制御装置が取り付けられた電力量計であり、（ａ）がカバーを外した場合の正面図であり、（ｂ）がカバーを外した場合の側面図である。
【図２】本実施の形態に係る送電遠隔制御装置の構成図である。
【図３】本実施の形態に係る遠隔制御指令側の構成図である。
【図４】本実施の形態に係る送電遠隔制御装置の動作を示すフローチャートである。
【符号の説明】
１…電力量計部、２…電力量計計器箱ベース、３…電力量計本体、３ａ…端子台、３ｂ…ねじ部、４…無停電バイパス端子、４ａ，４ｂ…引き込み線固定部、４ｃ…１Ｌ側リード線、４ｄ…３Ｌ側リード線、４ｅ，４ｆ…１Ｌ側端子、４ｇ，４ｈ・・・３Ｌ側端子、５…送電遠隔制御装置、５ａ…固定ねじ、５ｂ…１Ｌ側負荷接続線、５ｃ…３Ｌ側負荷接続線、５ｄ，５ｅ…バナナ端子、５ｆ…装置電源供給用プローブ、６ａ…１Ｌ側引き込み線，６ｂ…３Ｌ側引き込み線、７・・・遠隔制御指令機器、８・・・携帯電話、９…モデム、１０・・・保護回路、１１・・・電源回路、１２・・・通信部、１３…通信処理回路、１４…機種認識回路、１５…ＣＰＵ電源保持回路、１６…電源電圧監視回路、１７…リレー制御回路、１８…１Ｌ側リレー、１９…３Ｌ側リレー、２０…１Ｌ側電流センサ、２１…３Ｌ側電流センサ、２２…電流電圧変換回路、２３…ＡＤコンバータ、２４…電圧認識回路、２５…ＬＥＤ、２６…ＬＥＤ電源スイッチ、２７…メモリ回路、２８…ＣＰＵ
【図１】
2004229400.tif 000003
【図２】
2004229400.tif 000004
【図３】
2004229400.tif 000005
【図４】
2004229400.tif 000006